(57)【要約】  【課題】  音程の調節ができて演奏に容易に使用できるとともに、より音色の美しい打楽器及び打楽器群を提供する。  【解決手段】  打楽器１０を、一端開口部１４及び他端開口部１６を有する筒状部材１８と、他端開口部１６付近を遮蔽する振動板２０と、振動板２０と連続する打撃部２２とを、竹から一体的に形成し、打撃部２２に衝撃を与えることにより振動板２０が振動して打撃音が生じるように構成した。また、筒状部材１８を、一端開口部１４から一定の孔間隔Ｐで２個の長方形の空気孔２４（ａ）及び２４（ｂ）が設けられ、２個の空気孔２４（ａ）及び２４（ｂ）を指で塞ぐことにより一定音程の打撃音が生じ、２個の空気孔２４を塞いだ状態から、一端開口部１４側から空気孔２４を１個開放する毎に半音程高い打撃音が生じるように構成した。  【選択図】  図１
2005148086.tif 000002
【特許請求の範囲】
【請求項１】
一端開口部及び他端開口部を有する筒状部材と、
該他端開口部付近を遮蔽する振動板と、
該振動板と連続する打撃部と、
を備え、前記打撃部に衝撃を与えることにより前記振動板が振動して打撃音が生じる打楽器。
【請求項２】
前記一端開口部から一定の孔間隔で空気孔が設けられ、全ての空気孔を塞ぐことにより一定音高さの前記打撃音が生じる請求項１に記載する打楽器。
【請求項３】
前記全ての空気孔を塞いだ状態から、前記一端開口部側から前記空気孔を１個開放する毎に半音程高い打撃音が生じる請求項２に記載する打楽器。
【請求項４】
前記全ての空気孔を塞ぐことにより基本音高さの前記打撃音が生じ、前記一端開口部から前記振動板までの筒長さＬを２４等分したＬ／２４の距離の前記孔間隔で、前記空気孔が設けられた請求項２又は請求項３のいずれかに記載する打楽器。
【請求項５】
前記打撃部を緩衝部材で覆った請求項１乃至請求項４のいずれかに記載する打楽器。
【請求項６】
前記筒状部材、振動板及び打撃部が、竹から一体的に形成された請求項１乃至請求項５のいずれかに記載する打楽器。
【請求項７】
前記請求項１乃至請求項６のいずれかに記載する打楽器を複数含む打楽器群。
【発明の詳細な説明】
【技術分野】
【０００１】
本発明は、床や壁に叩き付けて衝撃音を生じさせる打楽器、及びその打楽器を含む打楽器群に関する。
【背景技術】
【０００２】
従来から、種々の打楽器が演奏のために使用されている。打楽器は、通常、金属製や木製であるが、竹製の打楽器も案出されている（例えば、特許文献１、特許文献２及び特許文献３参照。）。竹製の打楽器は独特の美しい音色が生じるため、演奏のために有効に活用すべきであるが、音高さの調節等ができず演奏のために使用するのは困難であった。
【特許文献１】特開平０６−０６７６４９号公報
【特許文献２】特開平０８−０３０２６６号公報
【特許文献３】特開２００１−０４２８７４号公報
【発明の開示】
【発明が解決しようとする課題】
【０００３】
解決しようとする問題点は、音高さの調節ができて演奏に容易に使用できるとともに、より音色の美しい打楽器及び打楽器群を提供することである。
【課題を解決するための手段】
【０００４】
本発明の打楽器は、一端開口部及び他端開口部を有する筒状部材と、該他端開口部付近を遮蔽する振動板と、該振動板と連続する打撃部と、を備え、前記打撃部に衝撃を与えることにより前記振動板が振動して打撃音が生じることを特徴とする。
【０００５】
本発明の打楽器は、前記打楽器において、前記一端開口部から一定の孔間隔で空気孔が設けられ、全ての空気孔を塞ぐことにより一定音高さの前記打撃音が生じることを特徴とする。
【０００６】
本明細書において、「音高さ」とは、「ど」又は「れ」等の一つの音の高さを言う。日本音楽の５音音階による音高さも、西洋音楽の７音音階による音高さも、その他の音楽の音階による音高さも含む。
【０００７】
本発明の打楽器は、前記打楽器において、前記全ての空気孔を塞いだ状態から、前記一端開口部側から前記空気孔を１個開放する毎に半音程高い打撃音が生じることを特徴とする。
【０００８】
本発明の打楽器は、前記打楽器において、前記全ての空気孔を塞ぐことにより基本音高さの前記打撃音が生じ、前記一端開口部から前記振動板までの筒長さＬを２４等分したＬ／２４の距離の前記孔間隔で、前記空気孔が設けられたことを特徴とする。
【０００９】
本明細書において、基本音高さは、主音等、音階の基本となる音高さを言う。
【００１０】
本発明の打楽器は、前記打楽器において、前記打撃部を緩衝部材で覆ったことを特徴とする。
【００１１】
本発明の打楽器は、前記打楽器において、前記筒状部材、振動板及び打撃部が、竹から一体的に形成されたことを特徴とする。
【００１２】
本発明の打楽器群は、打楽器を複数含むことを特徴とする。
【発明の効果】
【００１３】
本発明の打楽器及び打楽器群によれば、一端開口部から振動板までの筒長さによって共鳴周波数が定まり、筒長さによって音高さが定まるため、筒長さの異なる複数の打楽器を準備することにより、複数の音高さの打撃音を生じさせることができる。このため、打楽器であるにもかかわらず音高さの調節又は把握が可能であり、演奏のために容易に使用できる。また、叩き付ける打撃部と共鳴する筒状部材とが別個に構成されているため、美しい音色を生じさせることができる。
【００１４】
また、一端開口部から一定の孔間隔で空気孔が設けられた本発明の打楽器によれば、全ての孔を指で塞いだ状態から、一端開口部側から空気孔を１個開放する毎に音高さを変えていくことができる。このため、１個の打楽器で複数の音高さの打撃音を生じさせることができる。
【００１５】
また、全ての空気孔を塞ぐことにより基本音高さの打撃音が生じ、筒長さＬを２４等分したＬ／２４の距離の孔間隔で空気孔が設けられた本発明の打楽器によれば、全ての空気孔を塞いだ状態で基本音高さを生じさせ、その状態から一端開口部側から空気孔を１個開放する毎に半音程高い打撃音を生じさせることができる。
【００１６】
また、打撃部を緩衝部材で覆った本発明の打楽器によれば、打撃部を緩衝部材を介して床等に打ち付けるため、打撃部が金属や竹等の硬い部材であっても軟らかい音色を生じさせることができる。
【００１７】
また、竹から一体的に形成された本発明の打楽器によれば、竹特有の柔らかくて神秘的な美しい音色を奏でることができる。
【発明を実施するための最良の形態】
【００１８】
本発明に係る打楽器及び打楽器群の実施形態について、図面に基づいて詳しく説明する。図１及び図２において、符号１０は本発明の打楽器であり、図３において、符号１２は本発明の打楽器群である。
【００１９】
打楽器１０は、一端開口部１４及び他端開口部１６を有する筒状部材１８と、他端開口部１６付近を遮蔽する振動板２０と、振動板２０と連続する打撃部２２とが、竹から一体的に形成されて構成され、打撃部２２に衝撃を与えることにより振動板２０が振動して打撃音が生じる打楽器である。
【００２０】
筒状部材１８は、一端開口部１４から一定の孔間隔Ｐで２個の長方形の空気孔２４（ａ）及び２４（ｂ）が設けられ、２個の空気孔２４（ａ）及び２４（ｂ）を指で塞ぐことにより一定音高さの打撃音が生じ、２個の空気孔２４を塞いだ状態から、一端開口部１４側から空気孔２４を１個開放する毎に半音程高い打撃音が生じるように構成されている。すなわち、空気孔２４（ａ）のみを開放することにより、２個の空気孔２４（ａ）及び２４（ｂ）を塞いだ場合よりも半音程高い打撃音が生じ、空気孔２４（ａ）及び２４（ｂ）を開放することにより、２個の空気孔２４（ａ）及び２４（ｂ）を塞いだ場合よりも一音程高い打撃音が生じる。
【００２１】
振動板２０は、竹の節から構成されている。打撃部２２は、竹を切断した切断面から構成されている。打撃部２２は、粘着テープ（緩衝部材）２６で覆われている。この粘着テープ２６は、竹の外周から内周に渡って付着されて打撃部２２を保護しており、打撃部２２が割れたり磨耗するのを防止できる。
【００２２】
この打楽器１０は、筒長さＬによって２個の空気孔２４（ａ）及び２４（ｂ）を塞いだ場合の音高さが定まる。また、筒状部材１８の内径Ｄによって音色が定まる。
【００２３】
このような打楽器１０によって構成される打楽器群１２を図３に示す。打楽器群１２は、２個の空気孔２４（ａ）及び２４（ｂ）を塞いだ場合について言うならば、基本音高さである「ど」の音が生じる打楽器１０（１）と、打楽器１０（１）よりも半音程高い音高さが生じる打楽器１０（２）と、打楽器１０（２）よりも半音程高い「れ」の音高さが生じる打楽器１０（３）と、打楽器１０（３）よりも半音程高い音高さが生じる打楽器１０（４）と、打楽器１０（４）よりも半音程高い「み」の音高さが生じる打楽器１０（５）と、打楽器１０（５）よりも半音程高い「ふぁ」の音高さが生じる打楽器１０（６）と、打楽器１０（６）よりも半音程高い音高さが生じる打楽器１０（７）と、打楽器１０（７）よりも半音程高い「そ」の音高さが生じる打楽器１０（８）と、打楽器１０（８）よりも半音程高い音高さが生じる打楽器１０（９）と、打楽器１０（９）よりも半音程高い「ら」の音高さが生じる打楽器１０（１０）と、打楽器１０（１０）よりも半音程高い音高さが生じる打楽器１０（１１）と、打楽器１０（１１）よりも半音程高い「し」の音高さが生じる打楽器１０（１２）と、打楽器１０（１２）よりも半音程高い「ド」の音高さが生じる打楽器１０（１３）と、から構成されている。なお、「ド」は「ど」よりも１オクターブ高い音を意味するものとして本明細書及び図面において使用している。打楽器１０（１３）は打楽器１０（１）よりも１オクターブ高い音高さが生じるから、打楽器１０（１３）の固有波長は打楽器１０（１）の固有波長の半分であり、打楽器１０（１３）の筒長さＬは、打楽器１０（１）の筒長さＬ１の半分のＬ１／２である。
【００２４】
なお、最も短い打楽器１０（１３）の筒長さＬ又は最も短い打楽器１０（１３）の空気孔２４（ｂ）から振動板２０までの長さＭは、短く切断した打撃部側筒状部１９の長さＷよりも長いことが好ましい。打撃部側筒状部１９の固有波長によっても僅かな打撃音が発生するが、筒状部１８によって発生する打撃音よりも常に音高さの高い音であれば、全ての打楽器１０において、筒状部材１８による所定音高さの打撃音と、打撃部側筒状部１９による筒状部材１８による所定音高さよりも高くかつ一定の打撃部側筒状部１９による打撃音とが常に生じる。このため、一の打楽器１０によって生じる音高さの把握が容易であり、演奏をしやすくなる。
【００２５】
また、各打楽器１０（１）〜１０（１３）において、一端開口部１４から一定の孔間隔Ｐで２個の長方形の空気孔２４（ａ）及び２４（ｂ）が設けられている。孔間隔Ｐは、打楽器１０（１）の筒長さＬ１を２４等分したＬ１／２４であり、これにより、２個の空気孔２４を塞いだ状態から、一端開口部１４側から空気孔２４を１個開放する毎に半音程高い打撃音が生じる。また、一端開口部１４側から空気孔２４を１個開放すると、半音程高い打撃音の生ずる打楽器１０において２個の空気孔２４を塞いで生じる打撃音と同じ音高さの打撃音が生じ、空気孔２４を２個開放すると、１音程高い打撃音の生ずる打楽器１０において２個の空気孔２４を塞いで生じる打撃音と同じ音高さの打撃音が生じる。例えば、打楽器１０（１）において空気孔２４（ａ）のみを開放すると、打楽器１０（２）において２個の空気孔２４を塞いで生じる打撃音と同じ音高さの打撃音が生じ、打楽器１０（１）において２個の空気孔２４（ａ）及び２４（ｂ）を開放すると、打楽器１０（３）において２個の空気孔２４を塞いで生じる打撃音と同じ音高さの打撃音が生じる。
【００２６】
このような打楽器１０及び打楽器群１２を使用して演奏する場合、必要な音高さの生じる打楽器１０を選択して、図４に示すように手で保持し、打撃部２６を覆った粘着テープ２２を床２８に叩き付ける。打楽器１０は、両手で同じものを保持しても、生じる音高さの異なるものを保持しても良い。また、片手のみで保持しても良い。打撃部２６を床２８に叩き付けることにより、振動板２０が振動し、筒状部材１８から打撃音が生じる。
【００２７】
演奏中において、一つの打楽器１０により生ずる音高さは、２個の空気孔２４（ａ）及び２４（ｂ）を塞いだ場合、空気孔２４（ａ）のみを開放した場合、及び、２個の空気孔２４（ａ）及び２４（ｂ）を開放した場合の３種類であるが、さらに異なる音高さの打撃音を生じさせたい場合には、演奏中に他の打楽器１０に持ち替えても良い。
【００２８】
このような打楽器１０及び打楽器群１２は、打撃部２６が粘着テープ２２によって覆われているため、竹製の打撃部２６が直接的に床２８に当たることがない。これにより、硬い衝撃的な音色の打撃音が生じることがなく、打撃音の音色が緩和され、人の耳にやさしい音色を生じさせることができる。また、竹を叩き付けた音でなく何を叩き付けたか不明な神秘的な音色を生じさせることができる。
【００２９】
以上、本発明の打楽器及び打楽器群の実施形態について説明したが、本発明は上述したものには限定されない。
【００３０】
例えば、打楽器１０の使用方法は、床２８に叩き付けることには限定されず、図５に示すように、壁３０に叩き付けて打撃音を生じさせても良い。また、図６に示すように、節部付近の凸部３２同志を擦り合わせて音を生じさせても良い。また、２個の打楽器１０の外側面同志を叩き合わせても良い。
【００３１】
また、本発明の打楽器は、図７に示すように、連続する２個の筒状部材１８を備えた打楽器３３であっても良い。この場合、打撃部は一方の筒状部材１８の一端開口部１４によって構成される。
【００３２】
また、本発明の打楽器に設ける空気孔の数は特に限定されない。例えば、図８に示すように、空気孔２４（ａ）、２４（ｂ）、２４（ｃ）、２４（ｄ）、２４（ｅ）、２４（ｆ）、２４（ｇ）の７個の空気孔２４を備えた打楽器３４であっても良い。この打楽器３４は、全ての空気孔２４を塞ぐことにより「ど」の音高さが生じ、空気孔２４（ａ）のみを開放することにより「れ」の音高さが生じ、空気孔２４（ａ）、２４（ｂ）を開放することにより「み」の音高さが生じ、空気孔２４（ａ）、２４（ｂ）、２４（ｃ）を開放することにより「ふぁ」の音高さが生じ、空気孔２４（ａ）、２４（ｂ）、２４（ｃ）、２４（ｄ）を開放することにより「そ」の音高さが生じ、空気孔２４（ａ）、２４（ｂ）、２４（ｃ）、２４（ｄ）、２４（ｅ）を開放することにより「ら」の音高さが生じ、空気孔２４（ａ）、２４（ｂ）、２４（ｃ）、２４（ｄ）、２４（ｅ）、２４（ｆ）を開放することにより「し」の音高さが生じ、全ての空気孔２４を開放することにより「ド」の音高さが生じる。
【００３３】
また、本発明の打楽器は竹製に限定されない。例えば、図９に示すように、金属製の打楽器３６であっても良い。この打楽器３６は、金属製の筒状部材３８に金属製の底板部材４０を圧入して構成されている。振動板４２は底板部材４０の中央部によって構成され、打撃部４４は底板部材４０の突起部によって構成される。打撃部４４は、ゴム板（緩衝部材）４６によって構成される。打撃部４４がゴム板４６によって覆われているため、金属音ではない柔らかい音色を生じさせることができる。
【００３４】
また、この打楽器３６において、図１０に示すように、底板部材４０の一部を、筒状部材３８の中心軸と直角方向の横方向へ、外へ向かって突起させて打撃部４８を構成しても良い。この打楽器３６は緩衝部材を備えない。この場合、打楽器３６を略横方向へ揺動させて打撃部４８を壁等に叩き付けて打撃音を生じさせる。
【００３５】
また、本発明の打楽器の筒状部材は円柱形状には限定されない。例えば、図１１に示すように、円錐台形状の筒状部材５０を備えた打楽器５２であっても良い。この打楽器５２は、図９に示す打楽器３６と異なる音色の打撃音が生じる。
【００３６】
また、本発明は図示したものには限定されない。例えば、筒状部材は、筒状であれば形状は限定されない。例えば、筒状部材の断面形状は、円形に限定されず、多角形等であっても良い。また、振動板の材質及び形状は特に限定されず、樹脂薄膜、紙製薄膜等であっても良い。また、空気孔の形状は、多角形、円形、楕円形等、特に限定されない。また、緩衝部材の材質は、特に限定されず、樹脂フィルムや木材であっても良い。また、打楽器群を構成する本発明の打楽器の本数は限定されない。また、１オクターブ分の音高さを生じさせる打楽器群に限定されず、１オクターブ未満又は１オクターブより多くの音高さを生じさせる打楽器群であっても良い。
【００３７】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３８】
本発明の打楽器及び打楽器群によれば、一端開口部から振動板までの筒長さによって共鳴周波数が定まり、筒長さによって音高さが定まるため、筒長さの異なる複数の打楽器を準備することにより、複数の音高さの打撃音を生じさせることができる。このため、打楽器であるにもかかわらず音高さの調節又は把握が可能であり、演奏のために容易に使用できる。
【図面の簡単な説明】
【００３９】
【図１】本発明の打楽器を示す図であり、同図（ａ）は平面図、同図（ｂ）は底面図、同図（ｃ）は正面図である。
【図２】図１の打楽器のＡ−Ａ線切断部断面図である。
【図３】図１の打楽器から成る打楽器群を示す正面図である。
【図４】図１の打楽器の使用状態を示す正面図である。
【図５】図１の打楽器の他の使用状態を示す正面図である。
【図６】図１の打楽器の更に他の使用状態を示す正面図である。
【図７】本発明の打楽器の他の実施形態を示す正面図である。
【図８】本発明の打楽器の更に他の実施形態を示す正面図である。
【図９】本発明の打楽器の更に他の実施形態を示す断面図である。
【図１０】本発明の打楽器の更に他の実施形態を示す断面図である。
【図１１】本発明の打楽器の更に他の実施形態を示す断面図である。
【符号の説明】
【００４０】
１０、３３、３４、３６，５２  打楽器
１２  打楽器群
１４  一端開口部
１６  他端開口部
１８  筒状部材
２０  振動板
２２  打撃部
２４（ａ）、２４（ｂ）、２４（ｃ）、２４（ｄ）、２４（ｅ）、２４（ｆ）  空気孔
２６  粘着テープ（緩衝部材）
Ｌ  筒長さ
Ｄ  内径
【図１】
2005148086.tif 000003
【図２】
2005148086.tif 000004
【図３】
2005148086.tif 000005
【図４】
2005148086.tif 000006
【図５】
2005148086.tif 000007
【図６】
2005148086.tif 000008
【図７】
2005148086.tif 000009
【図８】
2005148086.tif 000010
【図９】
2005148086.tif 000011
【図１０】
2005148086.tif 000012
【図１１】
2005148086.tif 000013